(57)【特許請求の範囲】
【請求項１】
ゼラチン水溶液と
ポリアニオンとしてキサンタンガム、アルギン酸ナトリウム、ヒアルロン酸ナトリウム、コンドロイチン硫酸ナトリウム、ポリグルタミン酸ナトリウム、ポリアクリル酸ナトリウム、カルボキシメチルセルロースナトリウムの内の少なくとも一つをｐＨ５〜１１の条件で混合し、
前記混合時に繊維状物として水に不溶なセルロースを分散させ、
冷却してゲル化し、凍結したのち、真空凍結乾燥を行うことで得られたゼラチンスポンジ体。
【請求項２】
前記繊維状物の繊維径が１０〜５００μｍ、繊維長が０．１〜５ｍｍであることを特徴とする請求項１に記載のゼラチンスポンジ体。
【請求項３】
前記繊維状物の添加量が、ゼラチン１００部に対して１０〜２００部である請求項１又は２記載のゼラチンスポンジ体。
【請求項４】
前記混合時に絹パウダーを分散させた請求項１乃至３のいずれかに記載のゼラチンスポンジ体。
【請求項５】
前記絹パウダーの粒径が１００μｍ以下である請求項４に記載のゼラチンスポンジ体。
【請求項６】
前記絹パウダーの添加量が、ゼラチンに対して乾燥重量比で１％以上である請求項４又は５に記載のゼラチンスポンジ体。
【請求項７】
ゼラチン水溶液と
ポリアニオンとしてキサンタンガム、アルギン酸ナトリウム、ヒアルロン酸ナトリウム、コンドロイチン硫酸ナトリウム、ポリグルタミン酸ナトリウム、ポリアクリル酸ナトリウム、カルボキシメチルセルロースナトリウムの内の少なくとも一つをｐＨ５〜１１の条件で混合し、
冷却してゲル化し、凍結したのち、真空凍結乾燥を行うゼラチンスポンジ体の製造方法。
【請求項８】
前記ｐＨは、５〜７である、請求項７に記載のゼラチンスポンジ体の製造方法。
【発明の詳細な説明】
【技術分野】
【０００１】
本発明はゼラチンスポンジ体に関し、詳細には、密な気泡構造で水湿潤時の強度が補強され、さらに乾燥時の感触が良好なゼラチンスポンジ体に関する。
【背景技術】
【０００２】
従来より、熱傷や褥傷に生じる皮膚欠損側面に適用し、治療を促進させる創傷被覆剤、創傷用グラフトおよび培養皮膚基材として、ゼラチン等からなるスポンジ状成形体が利用されている。（例えば特許文献１）
このようなスポンジ状成形体では、創傷被覆剤および創傷用グラフトにおいては、スポンジ内へ血管や繊維芽細胞を侵入させ欠損した皮膚細胞を再構築させ、また、培養皮膚基材においては、繊維芽細胞や角質化細胞などの懸濁液を基材へ滴下し密着させ一定期間培養し作成するため、スポンジ表面・内部の空孔径やその連続性、内部空孔の形態が皮膚細胞形成に影響する。
【０００３】
培養皮膚は、一般にその基材と皮膚由来の繊維芽細胞や角質化細胞などより構成される。該培養皮膚を皮膚欠損部位に適用したとき、前記繊維芽細胞や角質化細胞などより産生される液性因子により、創縁からの繊維芽細胞、角質化細胞、血管内皮細胞の遊走・増殖を促進させ、皮膚を再構築させるといわれている。培養皮膚は前記繊維芽細胞や角質化細胞などの懸濁液を基材へ滴下し、接着させて一定期間培養して作製することができる。培養皮膚基材がスポンジ状成型体である場合、スポンジ表面の空孔径が一定であり、さらに内部空孔の形態も一定であれば、滴下した細胞は一様に基材に接着し得ると考えられ、作製した培養皮膚は一定の創傷治癒能力が期待される。
しかしながら、従来のスポンジ状成形体からなる培養皮膚基材は、内部空孔の大きさが不均一であり、配向性も有しないため、滴下した細胞の一様な接着を期待することができず、また一定の創傷治癒能力も期待することができない。
【０００４】
【特許文献１】国際公開第０１／０５７１２１号パンフレット
【発明の開示】
【発明が解決しようとする課題】
【０００５】
また従来のゼラチンスポンジ体は、ゼラチン水溶液を冷却してゲル化、凍結させたのち、真空凍結乾燥を行うことにより製造されていたが、ゲル化時にゼラチンが結晶化するために、まだらで気泡構造が粗いスポンジ体しか得られなかった。
本発明は、上記課題を解決する為になされたものであり、密な気泡構造を有し、さらになめらかな感触を有するゼラチンスポンジ体を提供することを目的とする。
【課題を解決するための手段】
【０００６】
本発明者は、銑意検討を重ねた結果、以下の構成を採用することによって、上記目的が達成され、本発明を成すに至った。
即ち本発明は、以下の通りである。
（１）ゼラチン水溶液とポリアニオンをｐＨ５〜１１の条件で混合し、冷却してゲル化し、凍結したのち、真空凍結乾燥を行うことで得られたゼラチンスポンジ体。
（２）塩状態のポリアニオンを用いた（１）に記載のゼラチンスポンジ体。
（３）ポリアニオンの添加量をゼラチン１００部に対して１〜５０部とした（１）に記載のゼラチンスポンジ体。
（４）真空凍結乾燥後に減圧下で、１２０〜１４０℃の温度で１０〜４８時間加熱あるいは、前記混合時に架橋剤を添加した（１）に記載のゼラチンスポンジ体。
（５）酸処理ゼラチン水溶液をｐＨ５〜７に調整した後、塩状態のポリアニオンを混合した（１）〜（４）に記載のゼラチンスポンジ体。
（６）酸処理ゼラチンの等イオン点がｐＨ８〜９である（１）〜（５）のいずれかに記載のゼラチンスポンジ体。
（７）酸処理ゼラチンが魚由来のものである（１）〜（６）のいずれかに記載のゼラチンスポンジ体。
【０００７】
（８）前記混合時に繊維状物を分散させた（１）〜（７）のいずれかに記載のゼラチンスポンジ体。
（９）繊維状物がセルロースである（８）に記載のゼラチンスポンジ体。
（１０）繊維状物の繊維径が１０〜５００μｍ、繊維長が０．１〜５ｍｍである（８）に記載のゼラチンスポンジ体。
（１１）前記混合時に絹パウダーを分散させた（１）〜（８）のいずれかに記載のゼラチンスポンジ体。
（１２）絹パウダーの粒径が１００μｍ以下である（１１）に記載のゼラチンスポンジ体。
（１３）絹パウダーの粒径が１０μｍ以下である（１１）または（１２）に記載のゼラチンスポンジ体。
（１４）絹パウダーの添加量が，乾燥重量比で１％以上である（１１）〜（１３）のいずれかに記載のゼラチンスポンジ体。
（１５）絹パウダーの添加量が，乾燥重量比で１０％以上５０％未満である（１１）〜（１４）のいずれかに記載のゼラチンスポンジ体。
（１６）前記混合時に可塑剤を添加した（１）に記載のゼラチンスポンジ体。
【０００８】
（１７）ゼラチン水溶液とポリアニオンをｐＨ５〜１１の条件で混合し、冷却してゲル化し凍結したのち、真空凍結乾燥を行うゼラチンスポンジ体の製造方法。
（１８）塩状態のポリアニオンを用いる（１７）に記載のゼラチンスポンジ体の製造方法。
（１９）ポリアニオンの添加量をゼラチン１００部に対して１〜５０部とする（１７）に記載のゼラチンスポンジ体の製造方法。
（２０）真空凍結乾燥後に減圧下で、１２０〜１４０℃の温度で１０〜４８時間加熱あるいは、前記混合時に架橋剤を添加する（１７）に記載のゼラチンスポンジ体の製造方法。
（２１）酸処理ゼラチン水溶液をｐＨ５〜７に調整した後、塩状態のポリアニオンを混合した（１７）〜（２０）に記載のゼラチンスポンジ体の製造方法。
（２２）酸処理ゼラチンの等イオン点がｐＨ８〜９である（１７）〜（２１）のいずれかに記載のゼラチンスポンジ体の製造方法。
（２３）酸処理ゼラチンが魚由来のものである（１７）〜（２２）のいずれかに記載のゼラチンスポンジ体の製造方法。
【０００９】
（２４）前記混合時に繊維状物を分散させる（１７）〜（２３）のいずれかに記載のゼラチンスポンジ体の製造方法。
（２５）繊維状物がセルロースである（２４）に記載のゼラチンスポンジ体の製造方法。
（２６）繊維状物の繊維径が１０〜５００μｍ、繊維長が０．１〜５ｍｍである（２４）に記載のゼラチンスポンジ体の製造方法。
（２７）前記混合時に絹パウダーを分散させた（１７）〜（２４）のいずれかに記載のゼラチンスポンジ体の製造方法。
（２８）絹パウダーの粒径が１００μｍ以下である（２７）に記載のゼラチンスポンジ体の製造方法。
（２９）絹パウダーの粒径が１０μｍ以下である（２７）または（２８）に記載のゼラチンスポンジ体の製造方法。
（３０）絹パウダーの添加量が，乾燥重量比で１％以上である（２７）〜（２９）のいずれかに記載のゼラチンスポンジ体の製造方法。
（３１）絹パウダーの添加量が，乾燥重量比で１０％以上５０％未満である（２７）〜（３０）のいずれかに記載のゼラチンスポンジ体の製造方法。
（３２）前記混合時に可塑剤を添加する（１７）に記載のゼラチンスポンジ体の製造方法。
【発明の効果】
【００１０】
本発明のゼラチンスポンジ体は、ゼラチン水溶液と塩状態のポリアニオンをｐＨ５〜１１の条件で混合し、冷却してゲル化し、凍結したのち、真空凍結乾燥を行うことで、密な気泡構造を有することができる。
また、真空凍結乾燥後に減圧下で１２０〜１４０℃の温度で１０〜４８時間加熱あるいは、ゼラチン水溶液とポリアニオンの混合時に架橋剤を添加することや、ゼラチン水溶液とポリアニオンの混合時に繊維物と絹パウダーを分散させたことにより、上記スポンジ体の水湿潤時の強度を優れたものとしたり、乾燥時及び湿潤時の感触をなめらかなものとしたりすることができる。
【発明を実施するための最良の形態】
【００１１】
以下、本発明のゼラチンスポンジ体及びゼラチンスポンジ体の製造方法について詳細に説明する。
本発明のゼラチンスポンジ体は、ゼラチン水溶液とポリアニオンをｐＨ５〜１１の条件で混合し、冷却してゲル化し、凍結したのち、真空凍結乾燥を行うことで得られる。
ゼラチン水溶液とポリアニオンを混合するとポリイオンコンプレックスを形成し、ゼラチン水溶液のｐＨ条件によっては沈殿物となる。このため、ゼラチン水溶液のｐＨはポリイオンコンプレックスが形成されても沈殿物の発生しないｐＨ５〜１１であり、ｐＨ５〜７が好ましい。
また、塩になっていないポリアニオンをゼラチン水溶液に加えると添加量に応じてゼラチン水溶液のｐＨが低下する。上記の通りｐＨが５以下になると、急激にポリイオンコンプレックスの沈殿が生じてしまうので、特に限定されないが、ナトリウム塩、カリウム塩、アンモニウム塩等の塩状態で添加するのが好ましい。
【００１２】
ゼラチン水溶液とポリアニオンを混合する際の混合比としては、特に限定されないが、ゼラチン１００部に対しポリアニオン１〜５０部が好ましい。
ポリアニオンの混合量が少ないと気泡構造を密にする効果に欠け、多いとゼラチン固有の特性・感触が少なくなることがある。
本発明に用いられるゼラチン水溶液のゼラチンとしては、特に限定されないが、Ａタイプゼラチンと呼ばれる酸処理ゼラチンであることが好ましく、特に限定されないが、等イオン点がｐＨ８〜９であることが好ましい。また、酸処理ゼラチンとしては、特に限定されないが、魚由来であることが好ましい。
【００１３】
本発明に含まれるポリアニオンは、特に限定されないが、キサンタンガム、アルギン酸ナトリウム、ヒアルロン酸ナトリウム、コンドロイチン硫酸ナトリウム、ポリグルタミン酸ナトリウム、ポリアクリル酸ナトリウム、カルボキシメチルセルロースナトリウムなど、水に可溶で、かつ、官能基としてカルボキシル基をもつ高分子であり、生体に対して強い毒性を示さないものであれば、生体由来の天然高分子でも、合成高分子でも、いずれを用いてもよい。また、前述の通りポリアニオンは塩状態が好ましい。
【００１４】
また、本発明に係るゼラチンスポンジ体は、真空凍結乾燥後に減圧下で１２０〜１４０℃の温度で１０〜４８時間加熱あるいは、ゼラチン水溶液と塩状態のポリアニオンの混合時に架橋剤を添加、またはゼラチン水溶液と塩状態のポリアニオンの混合時に繊維物を分散、もしくは可塑剤を添加することにより、水湿潤時の強度に優れたものとなる。
【００１５】
ゼラチン水溶液とポリアニオンの混合時に添加する架橋剤としては、特に限定されないが、ヘキサメチレンジイソシアネート等の多価イソシアネート化合物、エチレングリコールジグリシジルエーテル等の多価エポキシ化合物等が好ましい。ゼラチン水溶液とポリアニオンの混合時に添加する繊維状物としては、特に限定されないが、セルロースに代表される親水性の繊維が好ましい。疎水性の繊維でも親水処理を施し、ゼラチン、ポリアニオン混合水溶液中に均一に分散できればよい。
前記繊維状物の繊維径は、１０〜５００μｍ、繊維長は０．１〜５ｍｍが好ましい。繊維径が細すぎると補強効果が弱くなり、太すぎると肌への感触が悪くなることがある。繊維長は短すぎると補強効果が弱くなり、長すぎると感触が優れなくなることがある。
本発明のゼラチンスポンジ体における、該繊維状物の添加量は、特に限定されないが、ゼラチン１００部に対して、１０〜２００部が適当であり、添加量が少ないと補強効果に欠け、添加量が多すぎるとかえって弱くなることがある。
【００１６】
本発明に係るゼラチンスポンジ体は、ゼラチン水溶液と塩状態のポリアニオンの混合時に絹パウダーを分散することにより、乾燥時の感触がなめらかなものとなる。
【００１７】
ゼラチン水溶液とポリアニオンの混合時に添加する絹パウダーとしては、ゼラチン、ポリアニオン混合水溶液中に均一に分散できるものであれば、特に限定されない。
前記絹パウダーの粒径は１００μｍ以下であるのが好ましく、１０μｍ以下であることがさらに好ましい。粒径が１００μｍ以上だと滑らかな感触が得られないことがある。
本発明のゼラチンスポンジ体における、該絹パウダーの添加量は、特に限定されないが、ゼラチンに対し乾燥重量比で１％以上であるのが好ましく、１０％以上５０％未満であることがさらに好ましい。添加量が１％以下では絹パウダー特有のなめらかさが得られず、また、５０％を超えると感触に差がなくなることがある。
【００１８】
なお、ポリイオンコンプレックスの沈殿を形成させることなく混合したゼラチンとポリアニオンとの混合液は粘度が上昇し、混合液を冷却してゲル化する間に繊維状物や絹パウダーが沈降して分離することがない。
【００１９】
また、乾燥時のスポンジ体に柔軟性が求められる場合は、柔軟性を付与するために可塑剤を添加してもよい。可塑剤としては、特に限定されないが、グリセリン、ポリエチレングリコール、流動パラフィン等、いずれを用いてもよい。水不溶性の可塑剤を添加する場合は、乳化剤との併用が好ましい。
【００２０】
以下に本発明のゼラチンスポンジ体の製造方法についてより具体的に説明する。
ゼラチン水溶液とポリアニオンの混合液をステンレス容器に気泡が混入しないように充填し、５℃の冷蔵庫内で予備冷却し気泡構造を安定させた後、−６０℃の送風型冷凍庫で凍結する。
得られた凍結ゼラチン溶液ブロックを５０Ｐａ以下の真空度で真空凍結乾燥を行い、ブロック状のスポンジ体を得る。真空凍結乾燥の終点は圧力上昇法で確認できる。
【００２１】
さらに上記ブロック状のスポンジ体を真空乾燥機中１００Ｐａ以下・１２０℃で加熱脱水架橋を行う。加熱脱水架橋を行うことで、水湿潤時の強度を付与したスポンジ体を得ることができる。また、前記混合液に架橋剤を添加する場合は、加熱脱水架橋を行わなくてもよい。
【００２２】
ゲル化時の形状でスポンジ体の形状は決まり、シート状のスポンジ体、ブロック状のスポンジ体、さらにはブロック状のスポンジ体をスライスしてシート状のスポンジ体等、用途に合わせた形状のゼラチンスポンジ体を得ることができる。
【実施例】
【００２３】
以下本発明を実施例によって詳細に説明するが、本発明はこれらに限定されるものではない。
実施例１
サケ皮を脱脂、水洗後、熱水で抽出したゼラチンを用い、ｐＨ５．８の５％ゼラチン水溶液２５０ｇに０．５％キサンタンガム水溶液２５０ｇ（ゼラチン固形分１００に対して１０部）加え、５０℃の温水浴中で攪拌機でよく混合した。この時、水溶液の粘度は上昇したが沈殿の発生は認めなかった。
さらに３ｍｍに粉砕されたパルプを水に４％分散させたスラリー状パルプ２５０ｇ（ゼラチン固形分１００に対して８０部）を加え、５０℃の温水浴中で攪拌機により混合し、パルプ分散ゼラチン溶液を得た。
上記パルプ分散ゼラチン溶液を１２０ｍｍ×１７０ｍｍ×５０ｍｍ（深さ）のステンレス容器に３０ｍｍの厚さに気泡が混入しないように注意深く充填し、そのステンレス容器を５℃の冷蔵庫内に１２時間以上放置した後、−６０℃の送風型冷凍庫内に１時間放置し、ゼラチン溶液を凍結させ凍結ブロックを得た。
上記凍結ブロックを５０Ｐａ以下の真空度で真空凍結乾燥を行い、ブロック状のスポンジ体を得た。さらにブロック状のスポンジ体を真空乾燥機中で、１００Ｐａ以下・１２０℃で４８時間放置し、加熱脱水架橋を行った。
そのブロック状スポンジ体を１．５ｍｍの厚さにスライスし、スポンジ体シートを得た。得られたスポンジ体シートの外観像写真を図１に、電子顕微鏡写真を図２に示す。得られたスポンジ体シートは均一な気泡構造をもった感触のよいものであった。
また、スポンジ体シートの表面のきめの細かさの指標として、色差計（ミノルタ（株）製  ＣＲ−３００）により明度指数を測定した。ランダムに５ヶ所測定した明度指数は、８８．９±２．５２（平均±ＳＤ）であった。
次に、スポンジ体シートを５０ｍｍ×５０ｍｍの大きさに切り取り、水に浸したところ瞬時に吸水した。吸水したシートは端をつまんで持ち上げても破れることなく、架橋剤を用いなくても肌に密着させるパック用シートとして充分な強度をもっていた。
【００２４】
実施例２
キサンタンガムをγ−ポリグルタミン酸ナトリウムに代えた以外、実施例１と同様にスポンジ体シートを作製した。得られたスポンジ体シートの外観像写真を図３に、電子顕微鏡写真を図４に示す。
得られたスポンジ体シートは均一な気泡構造をもった感触のよいものであった。
また、スポンジ体シートをランダムに５ヶ所測定した明度指数は、８６．２±３．５４（平均±ＳＤ）であった。
また、スポンジ体シートの吸水性・強度共に実施例１と同様であった。
【００２５】
実施例３
サケ皮を脱脂、酸処理、水洗後、熱水で抽出したゼラチンにクエン酸を用いてｐＨ６．０に調整した５％ゼラチン水溶液２５０ｇに０．５％カルボキシメチルセルロースナトリウム（ＣＭＣ１２８０：ダイセル化学工業（株）製）水溶液２５０ｇ（ゼラチン固形分１００に対して１０部）加え、５０℃の温水浴中で攪拌機によりよく混合した。さらに、３ｍｍに粉砕されたパルプを水に４％分散させたスラリー状パルプ１２５ｇ（ゼラチン固形分１００に対して４０部）、平均粒径５μｍの絹パウダーを水に４％分散させたスラリー状絹パウダー６２．５ｇ（ゼラチン固形分１００に対して２０部，全固形分中１１．６％）、架橋剤としてエチレングリコールジグリシジルエーテル０．２５ｇ（ゼラチン固形分１００に対して２部）を加え、５０℃の温水浴中で攪拌機により１時間混合した。
上記水溶液を１２０ｍｍ×１７０ｍｍ×５０ｍｍ深さのステンレス容器に２０ｍｍの厚さに気泡が混入しないように注意深く充填し、そのステンレス容器を５℃の冷蔵庫内に１２時間以上放置した後、−６０℃の送風型冷凍庫内に１時間放置し、ゼラチン溶液を凍結させ凍結ブロックを得た。
上記凍結ブロックを５０Ｐａ以下の真空度で真空凍結乾燥を行い、ブロック状のスポンジ発泡体を得た。そのブロック状スポンジ発泡体を１．５ｍｍの厚さにスライスし、スポンジ発泡体シートを作成した。
得られたスポンジ体シートは均一で密な気泡構造をもち、柔軟で感触は良好な、絹パウダーによる独特ななめらかなものであった。
また、スポンジ体シートをランダムに５ヶ所測定した明度指数は、８９．０±１．６７（平均±ＳＤ）であった。
また、スポンジ体シートの吸水性・強度共に実施例１と同様であり、肌の細かい部分への密着性も良好であった。
【００２６】
実施例４
スラリー状絹パウダーに代えてスラリー状パルプを増量した以外は実施例３と同様にスポンジ体シートを作成した。
得られたスポンジ体シートは均一な気泡構造をもち、柔軟で感触は良好であったが、なめらかさに欠けるものであった。
また、スポンジ体シートをランダムに５ヶ所測定した明度指数は、８６．５±１．７７（平均±ＳＤ）であった。
また、スポンジ体シートの吸水性・強度共に実施例３と同様であった。
【００２７】
比較例１
０．５％キサンタンガム水溶液２５０ｇを水２５０ｇに代えた以外、実施例１と同様スポンジ体シートを作製した。得られたスポンジ体シートの外観像写真を図５に、電子顕微鏡写真を図６に示す。
得られたスポンジ体シートはまだらな外観でざらついた感触のものであった。
また、スポンジ体シートをランダムに５ヶ所測定した明度指数は、６９．５±１．２９（平均±ＳＤ）であった。
【００２８】
比較例２
キサンタンガムをアニオン性官能基をもたないグアーガムに代えた以外、実施例１と同様にスポンジ体シートを作製した。得られたスポンジ体シートの外観像写真を図７に、電子顕微鏡写真を図８に示す。
得られたスポンジ体シートはまだらな外観でざらついた感触のものであった。
また、スポンジ体シートをランダムに５ヶ所測定した明度指数は、７２．５±１．７７（平均±ＳＤ）であった。
【００２９】
比較例３
実施例１のゼラチン水溶液にクエン酸を添加してｐＨを４．５に調製したゼラチン水溶液に、０．５％キサンタンガム水溶液２５０ｇを加え、５０℃の温水浴中で攪拌機により混合したところ沈殿物が発生し、その溶液を５℃の冷蔵庫中に１２時間放置してもゲル化ができなかった。
【００３０】
比較例４
実施例１のパルプ分散ゼラチン溶液に１０％クエン酸水溶液を加えてｐＨを４．５にしたところ、沈殿物が発生し、その溶液を５℃の冷蔵庫中に１２時間放置してもゲル化ができなかった。
【００３１】
比較例５
カルボキシメチルセルロースナトリウムをアニオン性官能基をもたない増粘剤であるグアーガムにした以外は実施例３と同様に行った。
得られたスポンジ体シートはまだらな外観でざらついた感触のものであり、絹パウダー含有による感触の向上は認められなかった。
また、スポンジ体シートをランダムに５ヶ所測定した明度指数は、７０．５±１．５７（平均±ＳＤ）と低値であった。
【００３２】
以上から明らかなように、本発明に係る実施例１〜４のゼラチンスポンジ体は気泡構造が密で、水湿潤時の強度に優れている。また、実施例３のゼラチンスポンジ体は乾燥時の感触もなめらかである。
【産業上の利用可能性】
【００３３】
本発明のゼラチンスポンジ体から得られる成形品は、細胞を培養する基材や化粧水等を
含浸させたスキンケアシートとして使用できる。
【図面の簡単な説明】
【００３４】
【図１】実施例１で得られたゼラチンスポンジ体の外観像写真である。
【図２】実施例１で得られたゼラチンスポンジ体の電子顕微鏡像写真である。
【図３】実施例２で得られたゼラチンスポンジ体の外観像写真である。
【図４】実施例２で得られたゼラチンスポンジ体の電子顕微鏡像写真である。
【図５】比較例１で得られたゼラチンスポンジ体の外観像写真である。
【図６】比較例１で得られたゼラチンスポンジ体の電子顕微鏡像写真である。
【図７】比較例２で得られたゼラチンスポンジ体の外観像写真である。
【図８】比較例２で得られたゼラチンスポンジ体の電子顕微鏡像写真である。
【図１】
0004762785.tif 000002
【図２】
0004762785.tif 000003
【図３】
0004762785.tif 000004
【図４】
0004762785.tif 000005
【図５】
0004762785.tif 000006
【図６】
0004762785.tif 000007
【図７】
0004762785.tif 000008
【図８】
0004762785.tif 000009